(57)【要約】【課題】ベルトの張力調整時における電動機の回転軸の芯ずれを防止することができる電動機のベルト張力調整装置の提供。【解決手段】支持ベース４に取付けられ所定方向にスライド可能な脚付電動機１によって駆動されるベルト９の張力を調整するものであって、ベルト９の張力調整時に脚付電動機１を所定方向に押圧する押しボルト１３，１４を備えると共に、脚付電動機１を上述の所定方向に案内するガイド手段１７を備えている。このガイド手段１７は、例えば脚付電動機１を挟むように配置される一対のＬ字形ブラケット１８，１８ａを連結する通しボルト１９及びナット２０，２０ａ，２０ｂ，２０ｃと、Ｌ字形ブラケット１８，１８ａを支持ベース４に固定する固定用ボルト２１，２１ａとを含んでいる。【選択図】図１
2005195079.tif 000002
【特許請求の範囲】
【請求項１】
支持ベースに取付けられ所定方向にスライド可能な電動機によって駆動されるベルトの張力を調整するものであって、
上記ベルトの張力調整時に上記電動機を上記所定方向に押圧する押しボルトを備えた電動機のベルト張力調整装置において、
上記電動機を上記所定方向に案内するガイド手段を備えたことを特徴とする電動機のベルト張力調整装置。
【請求項２】
上記請求項１記載の発明において、
上記電動機が、上記支持ベースに締付ボルトで締結される脚付電動機から成り、
上記支持ベースに形成され、上記所定方向に沿って延設される長穴に上記締付ボルトが挿入された状態で、上記脚付電動機は上記所定方向にスライド可能であることを特徴とする電動機のベルト張力調整装置。
【請求項３】
上記請求項１または２記載の発明において、
上記ガイド手段が、上記支持ベースに対して着脱可能なブラケットから成ることを特徴とする電動機のベルト張力調整装置。
【請求項４】
上記請求項３記載の発明において、
上記ブラケットが上記電動機を挟むように配置される一対のＬ字形ブラケットから成ることを特徴とする電動機のベルト張力調整装置。
【請求項５】
上記請求項４記載の発明において、
上記ガイド手段が、上記一対のＬ字形ブラケットを連結する通しボルトと、上記一対のＬ字形ブラケットのそれぞれを上記支持ベースに固定する固定用ボルトとを含むことを特徴とする電動機のベルト張力調整装置。
【発明の詳細な説明】
【技術分野】
【０００１】
本発明は、油圧式エレベータの油圧ユニットに組み込まれる脚付電動機等の電動機によって駆動されるベルトの張力を調整する電動機のベルト張力調整装置に関する。
【背景技術】
【０００２】
この種の従来技術として、支持ベースに取付けられ、所定方向にスライド可能な脚付電動機によって駆動されるベルトの張力を調整するものが提案されている。この従来技術における電動機は、支持ベースの所定方向に沿って延設される４個の長穴に、電動機の４つの脚のそれぞれに形成された穴に挿通させた４本の締付ボルトを挿入し、これらの締付ボルトを締め付けることによって支持ベースに固定される。また、この従来技術はベルトの張力調整時に上述の締付ボルトが緩められ状態において、電動機を上述の所定方向に押圧する押しボルトを備えている。
【０００３】
この従来技術にあって、ベルトの張力を調整するときには、４本の締付ボルトを緩めた状態で、押しボルトによって電動機を押圧して所定方向にスライドさせ、この電動機で駆動されるベルトの張力が規定値になったとき、締付ボルトを締め付けて電動機を再び支持ベースに固定することが行われる（例えば、特許文献１参照。）。
【特許文献１】特開平１１−１３６９０３号公報（段落番号０００２，０００８，０００９、図１）
【発明の開示】
【発明が解決しようとする課題】
【０００４】
上述した従来技術では、ベルトの張力調整時に、押しボルトで電動機を押圧した際、ベルトに張力が加えられるにつれて電動機がベルト側に引き寄せられる傾向にあり、このために電動機の回転軸の軸芯が斜めに傾きやすい問題があった。
【０００５】
このような回転軸の芯ずれを生じた場合は、芯ずれが解消されるまで繰り返しベルトの張力調整作業をやり直さなければならず、したがって、このベルトの張力調整作業に多大の時間がかかり、作業能率の低下を招く。また、このような電動機の回転軸の芯ずれを生じた場合には、電動機のスライド方向に対して直交する方向への電動機の位置修正作業が必要となるが、この作業は作業者の姿勢が不安定になりがちな煩雑な作業となることから、作業の安全性の点から必ずしも十分なものとは言えない。
【０００６】
本発明は、上述した従来技術における実状からなされたもので、その目的は、ベルトの張力調整時における電動機の回転軸の芯ずれを防止することができる電動機のベルト張力調整装置を提供することにある。
【課題を解決するための手段】
【０００７】
上記目的を達成するために、本発明は、支持ベースに取付けられ所定方向にスライド可能な電動機によって駆動されるベルトの張力を調整するものであって、上記ベルトの張力調整時に上記電動機を上記所定方向に押圧する押しボルトを備えた電動機のベルト張力調整装置において、上記電動機を上記所定方向に案内するガイド手段を備えたことを特徴としている。
【０００８】
このように構成した本発明は、ベルトの張力調整時に押しボルトで電動機を押圧した際に、電動機はガイド手段によって所定方向に案内されるので、電動機の回転軸の傾きを生じることがない。これにより、電動機の回転軸の芯ずれを防止できる。
【０００９】
また、本発明は上記発明において、上記電動機が、上記支持ベースに締付ボルトで締結される脚付電動機から成り、上記支持ベースに形成され、上記所定方向に沿って延設される長穴に上記締付ボルトが挿入された状態で、上記脚付電動機は上記所定方向にスライド可能であることを特徴としている。
【００１０】
また、本発明は上記発明において、上記ガイド手段が、上記支持ベースに対して着脱可能なブラケットから成ることを特徴としている。
【００１１】
また、本発明は上記発明において、上記ブラケットが上記電動機を挟むように配置される一対のＬ字形ブラケットから成ることを特徴としている。
【００１２】
また、本発明は上記発明において、上記ガイド手段が、上記一対のＬ字形ブラケットを連結する通しボルトと、上記一対のＬ字形ブラケットのそれぞれを上記支持ベースに固定する固定用ボルトとを含むことを特徴としている。
【発明の効果】
【００１３】
本発明は、ベルトの張力調整時における電動機の回転軸の芯ずれを防止でき、これによりベルトの張力調整作業が簡単になり、従来に比べてこのベルト張力調整作業の能率を向上させることができる。また、電動機のスライド方向に対して直交する方向の電動機の回転軸の傾きに対する煩雑な調整を要しないことから、作業中の作業者の不安定な姿勢を生じさせることがなく、このベルト張力調整作業における優れた安全性を確保することができる。
【発明を実施するための最良の形態】
【００１４】
以下，本発明に係る電動機のベルト張力調整装置を実施するための最良の形態を図に基づいて説明する。
【００１５】
図１は本発明の一実施形態を示す平面図である。本実施形態が対象とする電動機は、例えば油圧エレベータの油圧ユニット等に設けられる脚付電動機１であり、その回転軸２には第１プーリ３が装着されている。この脚付電動機１を支持する支持ベース４は、油圧ユニットの枠体５に固定されている。この枠体５には、ポンプ６が固定され、このポンプ６の回転軸７には、第２プーリ８が装着されている。第１プーリ３と第２プーリ８とに張力の調整対象であるベルト９が巻かれている。
【００１６】
上述した支持ベース４には、脚付原動機１を所定方向にスライド可能に取付ける４個の長穴１０，１０ａ，１０ｂ，１０ｃが形成されている。これらの長穴１０，１０ａ，１０ｂ，１０ｃは、所定方向に沿って延設されている。脚付電動機１の脚１１，１１ａ，１１ｂ，１１ｃに形成される穴には、この脚付原動機１を支持ベース４に固定する締付ボルト１２，１２ａ，１２ｂ，１２ｃが挿入されている。これらの締付ボルト１２，１２ａ，１２ｂ，１２ｃを、長穴１０，１０ａ，１０ｂ，１０ｃにそれぞれ挿入した後、図示しない締結具によって締結することにより、脚付電動機１の脚１１，１１ａ，１１ｂ，１１ｃが支持ベース４に固定される。
【００１７】
支持ベース４の一端側４ａには、ベルト９の張力調整時に脚付電動機１を上述した所定方向、すなわち長穴１０，１０ａ，１０ｂ，１０ｃの延設方向に押圧する２本の押しボルト１３，１４が配備されている。すなわち、ロックナット１５，１６を緩めることで、押しボルト１３，１４を押圧して脚付電動機１をスライドさせることが可能である。
【００１８】
支持ベース４の他端側４ｂには、脚付電動機１を上述した所定方向に案内するガイド手段１７を配置してある。このガイド手段１７は、例えば支持ベース４に対して着脱可能なブラケットを含んでいる。このブラケットは、例えば脚付原動機１の両側面を挟むように配置される一対のＬ字形ブラケット１８，１８ａから成っている。また、このガイド手段１７は、一対のＬ字形ブラケット１８，１８ａを連結する通しボルト１９と、この通しボルト１９をＬ字形ブラケット１８に固定するナット２０，２０ａ、Ｌ字形ブラケット１８ａに固定するナット２０ｂ，２０ｃと、Ｌ字形ブラケット１８を支持ベース４に固定する固定用ボルト２１、Ｌ字形ブラケット１８ａを支持ベース４に固定する固定用ボルト２１ａとを含んでいる。
【００１９】
本実施形態によるベルト９の張力調整作業は、以下のようにして行われる。すなわち例えば、同図１に示すように、Ｌ字形ブラケット１８，１８ａで脚付電動機１の両側面を挟むように配置して、固定用ボルト２１をＬ字形ブラケット１８に形成した穴を介して長穴１０ｂに挿入し、固定用ボルト２１ａをＬ字形ブラケット１８ａに形成した穴を介して長穴１０ｃに挿入し、これらの固定用ボルト２１，２１ａにナットを螺合させて、締結する。これにより、Ｌ字形ブラケット１８，１８ａが支持ベース４に固定される。
【００２０】
次に、通しボルト１９をＬ字形ブラケット１８，１８ａのそれぞれに形成した連結穴に挿入し、通しボルト１８に螺合するナット２０，２０ａ，２０ｂ，２０ｃによって通しボルト１９をＬ字形ブラケット１８，１８ａに固定する。
【００２１】
次に、４本の締付ボルト１２，１２ａ，１２ｂ，１２ｃを緩め、脚付電動機１を所定方向にスライド可能な状態にする。
【００２２】
次に、押しボルト１３，１４を固定しているロックナット１５，１６を緩め、押しボルト１３，１４をスパナによって回転させる。これにより、脚付電動機１が所定方向に、すなわち同図１の右方向に移動し、第１プーリ３を介してベルト９に張力が与えられる。
【００２３】
ベルト９に与えられる張力が規定値に至ったならば、締付ボルト１２，１２ａ，１２ｂ，１２ｃを締付ける。これにより、脚付電動機１の脚１１，１１ａ，１１ｂ，１１ｃが支持ベース４に固定される。
【００２４】
次に、ロックナット１５，１６を締付けて、押しボルト１３，１４を固定する。最後に、固定用ボルト２１，２１ａを緩め、Ｌ字形ブラケット１８，１８ａ、通しボルト１９を含むガイド手段１７を支持ベース４から取外す。
【００２５】
以上のように構成した本実施形態によれば、ベルト９の張力調整時に押しボルト１３，１４で脚付電動機１を押圧した際に、脚付原動機１はガイド手段１７によって所定方向に直線的に案内されるので、この脚付電動機１の回転軸２の傾きを生じることがない。これにより、脚付電動機１の回転軸２の芯ずれを防止でき、ベルト９の張力調整作業が簡単になり、このベルト張力調整作業の能率を向上させることができる。また、脚付電動機１のスライド方向に対して直交する方向の脚付電動機１の回転軸２の傾きに対する煩雑な調整を要しないことから、作業中の作業者の不安定な姿勢を生じさせることがなく、このベルト張力調整作業における優れた安全性を確保することができる。
【図面の簡単な説明】
【００２６】
【図１】本発明に係る電動機のベルト張力調整装置の一実施形態を示す平面図である。
【符号の説明】
【００２７】
１    電動機
２    回転軸
３    第１プーリ
４    支持ベース
５    枠体
６    ポンプ
７    回転軸
８    第２プーリ
９    ベルト
１０，１０ａ，１０ｂ，１０ｂ    長穴
１１，１１ａ，１１ｂ，１１ｃ    脚
１２，１２ａ，１２ｂ，１２ｃ    締付ボルト
１３，１４  押しボルト
１５，１６  ロックナット
１７    ガイド手段
１８，１８ａ  Ｌ字形ブラケット
１９    通しボルト
２０，２０ａ，２０ｂ，２０ｃ  ナット
２１，２１ａ  固定用ボルト
【図１】
2005195079.tif 000003